(57)【要約】【課題】  この発明の目的は、高い防犯性を確保しながら、コストを低く抑えることのできる出入管理システムを提供することである。【解決手段】  制御手段は、生体情報検出手段３で検出した生体情報とあらかじめ記憶した生体情報との符合を判定する機能と、生体情報検出手段３で検出した生体情報とあらかじめ記憶した生体情報とが符合したとき、第１アクチュエータ２を介して第１開閉装置１をアンロック状態にするように第１アクチュエータ２を制御する機能と、識別情報入力手段８から入力した識別情報とあらかじめ記憶した識別情報との符合を判定する機能と、生体情報検出手段３で検出した生体情報とあらかじめ記憶した生体情報とが符合し、かつ、識別情報入力手段８から入力された識別情報があらかじめ記憶されている識別情報と符合したとき、第２アクチュエータ７を介して第２開閉装置６をアンロック状態にする機能とを備えた点に特徴を有する。【選択図】  図１
2005113507.tif 000002
【特許請求の範囲】
【請求項１】
建造物の出入経路に設けたドアなどの第１開閉装置と、この第１開閉装置をロックしたりアンロックしたりする第１アクチュエータと、上記建造物内に区画された部屋などからなる各区分エリアの出入経路に設けた第２開閉装置と、各第２開閉装置に個別に対応するとともに、第２開閉装置をロックしたりアンロックしたりする第２アクチュエータと、上記第１アクチュエータに対応させて設けた人の生体情報を検出する生体情報検出手段と、上記各第２アクチュエータに対応させて個別に設けた識別情報入力手段と、上記第２アクチュエータを介して第１開閉装置をロックあるいはアンロック制御し、かつ、特定の生体情報をあらかじめ記憶するとともに、記憶した生体情報とその生体情報に対応する特定の区分エリアの第２アクチュエータを特定する情報とを対応づけて記憶し、さらに、各第２アクチュエータに対応した個別の識別情報をあらかじめ記憶した制御手段とを備え、この制御手段は、上記生体情報検出手段で検出した生体情報とあらかじめ記憶した生体情報との符合を判定する機能と、上記生体情報検出手段で検出した生体情報とあらかじめ記憶した生体情報とが符合したとき、第１アクチュエータを介して第１開閉装置をアンロック状態にするように第１アクチュエータを制御する機能と、上記識別情報入力手段から入力した識別情報とあらかじめ記憶した識別情報との符合を判定する機能と、上記生体情報検出手段で検出した生体情報とあらかじめ記憶した生体情報とが符合し、かつ、識別情報入力手段から入力された識別情報があらかじめ記憶されている識別情報と符合したとき、第２アクチュエータを介して第２開閉装置をアンロック状態にする機能とを備えた出入管理システム。
【請求項２】
第１アクチュエータを介して第１開閉装置をロックあるいはアンロック制御し、かつ、特定の生体情報をあらかじめ記憶するとともに、記憶した生体情報とその生体情報に対応する特定の区分エリアの第２アクチュエータを特定する情報とを対応づけて記憶した第１制御手段と、上記第１制御手段と連係するとともに、各第２アクチュエータに対応した個別の識別情報をあらかじめ記憶した第２制御手段とを備え、第１制御手段は、上記生体情報検出手段で検出した生体情報とあらかじめ記憶した生体情報との符合を判定する機能と、上記生体情報検出手段で検出した生体情報とあらかじめ記憶した生体情報とが符合したとき、第１アクチュエータを介して第１開閉装置をアンロック状態にするように第１アクチュエータを制御するとともに、その符合した生体情報に対応する上記第２アクチュエータを特定する情報を第２制御手段に伝達する機能とを備え、第２制御手段は、上記第２アクチュエータを特定する情報に対応する第２アクチュエータを特定する機能と、上記識別情報入力手段から入力した識別情報とあらかじめ記憶した識別情報との符合を判定する機能と、上記生体情報検出手段で検出した生体情報とあらかじめ記憶した生体情報とが符合し、かつ、識別情報入力手段から入力された識別情報があらかじめ記憶されている識別情報と符合したとき、第２アクチュエータを介して第２開閉装置をアンロック状態にする機能とを備えた請求項１記載の出入管理システム。
【請求項３】
指紋情報検出機能を備えた生体情報検出手段と、テンキーからなる識別情報入力手段とを備えた請求項１または２記載の出入管理システム。
【発明の詳細な説明】
【技術分野】
【０００１】
この発明は、例えば、マンションなどの建物を出入する人の管理をする出入管理システムに関する。
【背景技術】
【０００２】
マンションなどの建物への人の出入りを管理するシステムは、従来からいろいろ提案されているが、その中で、マンションの各室のドアに電気錠を設けて、その電気錠を、カードリーダやテンキー入力装置を利用して解錠し、人の出入りを許可するシステムが知られている。
上記のようなシステムにおいては、電気錠を解錠する方法の防犯性を高めることが重要であるが、上記のように、カードリーダやテンキー入力装置だと、カードを盗まれたり入力番号を知られたりすると、誰もが室に入ることができてしまう。
このような問題を解決するために、現在最も防犯性の高いとされる生体情報を利用した電気錠装置を設けることが実際に行われている。この生体情報を利用した電気錠装置を用いれば、住人以外にその室の電気錠を解錠することはほとんど不可能となる。
【０００３】
【特許文献１】特開平１１−２３２５１３号公報
【発明の開示】
【発明が解決しようとする課題】
【０００４】
しかしながら、上記した生体情報を利用した電気錠装置は、防犯性が高い分非常に高価なので、それを各室に設けるには膨大な費用がかかってしまうという問題があった。
この発明の目的は、高い防犯性を確保しながら、コストを低く抑えることのできる出入管理システムを提供することである。
【課題を解決するための手段】
【０００５】
第１の発明は、建造物の出入経路に設けたドアなどの第１開閉装置と、この第１開閉装置をロックしたりアンロックしたりする第１アクチュエータと、上記建造物内に区画された部屋などからなる各区分エリアの出入経路に設けた第２開閉装置と、各第２開閉装置に個別に対応するとともに、第２開閉装置をロックしたりアンロックしたりする第２アクチュエータと、上記第１アクチュエータに対応させて設けた人の生体情報を検出する生体情報検出手段と、上記各第２アクチュエータに対応させて個別に設けた識別情報入力手段と、上記第２アクチュエータを介して第１開閉装置をロックあるいはアンロック制御し、かつ、特定の生体情報をあらかじめ記憶するとともに、記憶した生体情報とその生体情報に対応する特定の区分エリアの第２アクチュエータを特定する情報とを対応づけて記憶し、さらに、各第２アクチュエータに対応した個別の識別情報をあらかじめ記憶した制御手段とを備えている。
【０００６】
そして、上記制御手段は、上記生体情報検出手段で検出した生体情報とあらかじめ記憶した生体情報との符合を判定する機能と、上記生体情報検出手段で検出した生体情報とあらかじめ記憶した生体情報とが符合したとき、第１アクチュエータを介して第１開閉装置をアンロック状態にするように第１アクチュエータを制御する機能と、上記識別情報入力手段から入力した識別情報とあらかじめ記憶した識別情報との符合を判定する機能と、上記生体情報検出手段で検出した生体情報とあらかじめ記憶した生体情報とが符合し、かつ、識別情報入力手段から入力された識別情報があらかじめ記憶されている識別情報と符合したとき、第２アクチュエータを介して第２開閉装置をアンロック状態にする機能とを備えた点に特徴を有する。
【０００７】
第２の発明は、第１アクチュエータを介して第１開閉装置をロックあるいはアンロック制御し、かつ、特定の生体情報をあらかじめ記憶するとともに、記憶した生体情報とその生体情報に対応する特定の区分エリアの第２アクチュエータを特定する情報とを対応づけて記憶した第１制御手段と、上記第１制御手段と連係するとともに、各第２アクチュエータに対応した個別の識別情報をあらかじめ記憶した第２制御手段とを備えている。
【０００８】
そして、上記第１制御手段は、上記生体情報検出手段で検出した生体情報とあらかじめ記憶した生体情報との符合を判定する機能と、上記生体情報検出手段で検出した生体情報とあらかじめ記憶した生体情報とが符合したとき、第１アクチュエータを介して第１開閉装置をアンロック状態にするように第１アクチュエータを制御するとともに、その符合した生体情報に対応する上記第２アクチュエータを特定する情報を第２制御手段に伝達する機能とを備え、第２制御手段は、上記第２アクチュエータを特定する情報に対応する第２アクチュエータを特定する機能と、上記識別情報入力手段から入力した識別情報とあらかじめ記憶した識別情報との符合を判定する機能と、上記生体情報検出手段で検出した生体情報とあらかじめ記憶した生体情報とが符合し、かつ、識別情報入力手段から入力された識別情報があらかじめ記憶されている識別情報と符合したとき、第２アクチュエータを介して第２開閉装置をアンロック状態にする機能とを備えた点に特徴を有する。
【０００９】
第３の発明は、上記第１、第２の発明を前提として、指紋情報検出機能を備えた生体情報検出手段と、テンキーからなる識別情報入力手段とを備えた点に特徴を有する。
【発明の効果】
【００１０】
第１〜第３の発明によれば、防犯性は高いが、その分非常に高価な生体情報検出手段を、建造物の出入経路だけに設け、建造物内の各区分エリアの出入経路には、安価な識別情報入力手段を設けたので、マンションの防犯性を飛躍的に向上できる一方、コストは、従来よりも極端に低く抑えることができる。
また、制御手段が、建造物内に入った人の生体情報に対応する第２アクチュエータを特定し、特定した第２アクチュエータに対応させて設けた識別情報入力手段を入力可能な状態にするとともに、特定されていない第２アクチュエータに対応させて設けた識別情報入力手段を、入力を受け付けない状態にする。したがって、建造物内に入った人が、制御手段が特定していない第２アクチュエータに対応する区分エリアに侵入するのを防止することができる。
【００１１】
特に、第２の発明によれば、制御手段を第１制御手段と第２制御手段とに分けたので、各区分エリアをたくさん必要とする建造物であっても、区分エリアを制御する第２制御手段を増設するだけでよい。したがって、建造物の出入経路および各区分エリアを制御する制御手段を増設するよりも、コストを抑えることができる。
さらに、第３の発明によれば、生体情報検出手段を、その中でも比較的安価な指紋情報検出機能を備えた検出手段とするとともに、識別情報入力手段を、その中でも安価なテンキーを備えた入力手段にしたので、全体としてコストを低く抑えることができる。
【発明を実施するための最良の形態】
【００１２】
図１〜４は、この発明の出入管理システムの実施形態を示したものである。
このシステムは、図１のブロック図に示すように、マンションなどの建造物の出入経路となる入口に設けた第１管理部Ａと、この第１管理部Ａを制御する第１制御手段Ｐ１と、上記建造物内に区画された部屋などからなる各区分エリアの入口に設けた第２管理部Ｂと、これら第２管理部Ｂを制御する第２制御手段Ｐ２とからなる。なお、以下には、建造物としてマンションを想定し、区分エリアとしてそのマンションの室を想定して説明する。
【００１３】
上記第１管理部Ａは、第１開閉装置であるドア１と、このドア１をロックあるいはアンロックする第１アクチュエータである第１電気錠２と、生体情報検出手段である指紋情報検出手段３とで構成している。
上記指紋情報検出手段３は、図２に示すように、タッチパネル３ａと音声出力部３ｂとを備えている。この指紋情報検出手段３は、マンションに入ろうとする人がそのタッチパネル３ａに触れると、タッチした人の指紋を指紋情報として検出し、その指紋情報を第１制御手段Ｐ１に送信する機能を備えている。なお、音声出力部３ｂは、例えば、スピーカや電子的な音声出力デバイス等であり、第１制御手段Ｐ１からのエラーメッセージ等が出力される。
【００１４】
また、上記第１制御手段Ｐ１は、第１記憶部４と第１処理部５とを備えている。
上記第１記憶部４には、マンションに入ることのできる人の指紋情報をあらかじめ記憶するとともに、これら個々人の指紋情報と、入ることが許されているマンションの室番号とを対応づけて記憶している。
そして、第１処理部５は、指紋情報検出手段３から受信した指紋情報と、第１記憶部４にあらかじめ記憶されている指紋情報とが符合するか否かを判定する機能を備えている。判定した結果、指紋情報検出手段３からの指紋情報と第１記憶部４の指紋情報とが符合すると、第１処理部５は、第１電気錠２に対してドア１をアンロック状態にするよう指示するアンロック信号を送信するとともに、符合した指紋情報に対応する室番号を第２制御手段Ｐ２に送信する機能を備えている。
【００１５】
反対に、判定結果が、指紋情報検出手段３からの指紋情報と第１記憶部４の指紋情報とが符合しないときは、上記第１処理部５が、マンションに入ろうとする人に対して、再度タッチパネル３ａに触れるよう指示する音声を、指紋情報検出手段３の音声出力部３ｂに出力させる機能を備えている。
【００１６】
一方、上記第２管理部Ｂは、第２開閉装置であるドア６と、このドア６をロックあるいはアンロックする第２アクチュエータである第２電気錠７と、この第２電気錠７に対応させて設けた識別情報入力手段８とで構成している。
上記識別情報入力手段８は、マンションの室に入ろうとする人が、自己を特定するためのＩＤ等の識別情報を入力するためのものである。この識別情報入力手段８は、図３に示したように、テンキー部８ａと、音声出力部８ｂとを備えている。
【００１７】
上記テンキー部８ａは、０〜９の１０個の数字キーと、誤入力を訂正するためのクリアキーＣと、入力終了情報を第２制御手段Ｐ２に送信するためのエンターキーＥとからなる。このようにしたテンキー部８ａは、エンターキーＥが押されたことをトリガとして、数字キーから入力された識別情報を、第２制御手段Ｐ２に送信する機能を備えている。また、上記音声出力部８ｂは、例えば、スピーカや電子的な音声出力デバイス等であり、第２制御手段Ｐ２からのエラーメッセージ等が出力される。
【００１８】
また、第２制御手段Ｐ２は、第２記憶部９と第２処理部１０とを備えている。
上記第２記憶部９は、前記各第２電気錠７に対応した個別の識別情報をあらかじめ記憶している。
また、上記第２処理部１０は、上記第１制御手段Ｐ１から受信した指紋情報に対応する室番号から、その室番号に対応する第２電気錠７を特定する機能を備えている。そして、特定した第２電気錠７に対応させて設けた識別情報入力手段８を入力可能な状態するとともに、特定していない第２電気錠７に対応させて設けた識別情報入力手段８を、入力を受け付けない状態にする機能を備えている。特定してない第２電気錠７に設けた識別情報入力手段８を、入力を受け付けない状態にすることによって、特定していない第２電気錠７に対応する室内に侵入されるのを防止している。
なお、上記した入力を受け付けない状態を保つとは、例えば、テンキー部８ａが操作されても、それには全く反応しないといった状態である。
【００１９】
さらに、上記第２処理部１０は、特定した第２電気錠７に対応させて設けた識別情報入力手段８から受信した識別情報と、第２記憶部９にあらかじめ記憶されている特定した第２電気錠７に対応した識別情報とが符合するか否かを判定する機能を備えている。判定した結果、識別情報入力手段８から受信した識別情報と、第２記憶部９に記憶されている識別情報とが符合すると、電気錠８に対してドア７をアンロック状態にするよう指示するアンロック信号を送信する機能を備えている。
【００２０】
反対に、判定した結果、識別情報入力手段８から受信した識別情報と、第２記憶部９に記憶されている識別情報とが符合しないと、上記第２処理部１０は、室に入ろうとする人に対して、再度テンキー入力するよう指示する音声を、識別情報入力手段８の音声出力部８ｂに出力させる機能を備えている。
【００２１】
上記のようにしたシステムにおいて、出入管理がどのように行われるかについて、図４のフローチャートに沿って詳しく説明する。
マンションに入ろうとする人が、指紋情報検出手段３のタッチパネル３ａに触れると、ステップＳ１で、指紋情報検出手段３が、タッチパネル３ａに触れた人の指紋情報を検出し、ステップＳ２で、その指紋情報を第１制御手段Ｐ１に送信する。
【００２２】
指紋情報検出手段３が第１制御手段Ｐ１に検出した指紋情報を送信すると、第１制御手段Ｐ１の第１処理部５が、その指紋情報を受信する。指紋情報を受信した第１処理部５は、ステップＳ３で、受信した指紋情報と第１記憶部４に記憶されている指紋情報とが符合するか否かを判定する。
判定した結果、受信した指紋情報と第１記憶部４に記憶されている指紋情報とが符合すると、第１処理部５は、ステップＳ４で、第１電気錠２に対してドア１をアンロック状態にするよう指示するアンロック信号を送信するとともに、ステップＳ５で、符合した指紋情報に対応する室番号を第２制御手段Ｐ２に送信する。
【００２３】
第１処理部５が第１電気錠２にアンロック信号を送信すると、第１電気錠２は、そのアンロック信号を受信する。アンロック信号を受信した第１電気錠２は、ステップＳ６で、ドア１をアンロック状態にする。この結果、ドア１はアンロック状態となり、ステップＳ７でドア１を開けてマンション内に入ることができる。
【００２４】
反対に、判定した結果、指紋情報検出手段３からの指紋情報と第１記憶部４の指紋情報とが符合しないと、上記第１処理部５は、ステップＳ８でマンションに入ろうとする人に対して、再度タッチパネル３ａに触れるよう指示する音声を、指紋情報検出手段３の音声出力部３ｂに出力させる。そして、何回か再入力を指示しても、その指紋情報と第１記憶部４の指紋情報とが符合しないときには、例えば、第１処理部５が警備会社に通報するなどの機能を発揮するようにしてもよい。
【００２５】
一方、上記第１処理部５が、符合した指紋情報に対応する室番号を第２制御手段Ｐ２に送信すると、上記第２制御手段Ｐ２の第２処理部５は、上記室番号を受信する。室番号を受信した第２処理部５は、ステップＳ９で、受信した室番号に対応する第２電気錠７を特定し、ステップＳ１０で、特定した第２電気錠７に対応させて設けた識別情報入力手段８を入力可能な状態にする。
そして、ステップＳ１１で、ドア１からマンション内に入った人が、特定した第２電気錠７に対応させて設けた識別情報入力手段８から識別情報を入力すると、識別情報入力手段８は、ステップＳ１２で、入力された識別情報を第２制御手段Ｐ２に送信する。
【００２６】
識別情報入力手段８が入力された識別情報を第２制御手段Ｐ２に送信すると、第２制御手段Ｐ２の第２処理部１０は、その識別情報を受信する。上記識別情報を受信した第２処理部１０は、ステップＳ１３で、受信した識別情報と、第２記憶部９にあらかじめ記憶されている特定した第２電気錠７に対応した識別情報とが符合するか否かを判定する。
【００２７】
判定した結果、受信した識別情報と第２記憶部９に記憶されている識別情報とが符合すると、第２処理部１０は、ステップＳ１４で、第２電気錠７に対してドア６をアンロック状態にするよう指示するアンロック信号を送信する。第２処理部１０がアンロック信号を第２電気錠７に送信すると、第２電気錠７は、そのアンロック信号を受信する。上記アンロック信号を受信した第２電気錠７は、ステップＳ１５で、ドア７をアンロック状態にする。この結果、ドア６はアンロック状態となり、ステップＳ１６で、ドア６を開けて室内に入ることができる。
反対に、判定した結果、受信した識別情報と第２記憶部に記憶されている識別情報とが符合すると、上記第２処理部１０は、ステップＳ１４で、室内に入ろうとする人に対して、再度テンキー入力をするよう指示する音声を、識別情報入力手段８の音声出力部８ｂに出力させる。
【００２８】
上記実施形態では、防犯性は高いが、その分非常に高価な生体情報検出手段である指紋情報検出手段３を、マンションの入口だけに設け、マンション内の各室には、安価な識別情報入力手段であるテンキー部８ａを備えた識別情報入力手段８を設けている。したがって、マンションの防犯性は確保した上で、従来よりもコスト低く抑えることができる。
【００２９】
また、マンション内に入った人の指紋情報に対応する室番号を、第１制御手段Ｐ１から第２制御手段Ｐ２に伝達すると、第２制御手段Ｐ２の第２処理部１０が、受信した室番号に対応する第２電気錠７を特定する。そして、特定した第２電気錠７に対応させて設けた識別情報入力手段８を入力可能な状態にするとともに、特定されていない第２電気錠７に対応させて設けた識別情報入力手段８を、入力を受け付けない状態にする。したがって、マンション内に入った人が、第２制御手段Ｐ２が特定していない第２電気錠７に対応する室内に侵入するのを防止することができる。
さらに、生体情報検出手段を、その中でも比較的安価な指紋情報検出機能を備えた検出手段３とするとともに、識別情報入力手段８を、その中でも安価なテンキー部８ａを備えた入力手段にしたので、全体としてコストを低く抑えることができる。
【００３０】
なお、上記実施形態では、生体情報検出手段を、指紋情報を検出する指紋情報検出手段３にしているが、人の生体情報を検出するものであればどのようなものでもよい。例えば、瞳の虹彩を検出する検出手段などを用いてもよい。
また、マンションの入口に設けたドア１や、マンション内の室に設けたドア６は、自動ドアであっても、入ろうとする人が自ら開けるドアであってもよい。
さらに、上記実施形態では、各室の第２アクチュエータである第２電気錠７を特定する情報として室番号を用いているが、第２電気錠７を特定することができる情報であればよい。例えば、各第２電気錠７に、個別の通し番号を付してもよいし、それらのＩＤで識別するようにしてもよい。
【００３１】
さらにまた、第１管理部Ａを第１制御手段Ｐ１で制御して、第２管理部Ｂを第２制御手段Ｐ２で制御するようにしているが、上記第１制御手段Ｐ１と第２制御手段Ｐ２を一つにまとめて、一つの制御手段で、第１管理部Ａおよび第２管理部Ｂを制御するようにしてもよい。
ただし、建物内の第２管理部Ｂの数が多いと、制御手段１つでは対応しきれなくなる場合がある。この場合、上記のように第１管理部Ａおよび第２管理部Ｂを一つの制御手段で制御すると、本来なら必要ではない第１管理部Ａを制御する機能までを備えた制御手段を増設しなければならない。しかし、上記実施形態のように、制御手段を第１制御手段Ｐ１と第２制御手段Ｐ２とに分けておけば、第２管理部Ｂの数がいくら多くなったとしても、それに合わせて第２制御手段Ｐ２だけを増設すればよい。したがって、第１管理部Ａおよび第２管理部Ｂを制御する機能を備えた制御手段を増設するよりも、コストを抑えることができる。
【産業上の利用可能性】
【００３２】
この発明は、マンションなどの集合住宅や、人の出入りが激しい会社の建物などの出入管理として最適なシステムである。
【図面の簡単な説明】
【００３３】
【図１】この発明の実施形態を示すブロック図である。
【図２】指紋情報検出手段３の説明図である。
【図３】識別情報入力手段８の説明図である。
【図４】この発明の作用を示すフローチャートである。
【符号の説明】
【００３４】
１  第１開閉装置
２  第１アクチュエータ
３  指紋情報検出手段
６  第２開閉装置
７  第２アクチュエータ
８  識別情報入力手段
Ａ  第１管理部
Ｂ  第２管理部
Ｐ１  第１制御手段
Ｐ２  第２制御手段
【図１】
2005113507.tif 000003
【図２】
2005113507.tif 000004
【図３】
2005113507.tif 000005
【図４】
2005113507.tif 000006